(57)【要約】【課題】  情報検索がより簡単に行える文書データを作成可能にすることにより、情報検索に伴うユーザの手間を軽減することを目的とする。【解決手段】  本発明に係わる情報処理装置は、単語を受信して単語に関する情報を検索する検索装置と通信可能な情報処理装置であって、文書データに含まれる単語を認識する単語認識手段と、前記文書データに基づいて、前記単語認識手段により認識された単語を前記検索装置へ送信するためのリンク情報を含む文書データを生成する生成手段とを有することを特徴とする。【選択図】  図１
2006178621.tif 000002
【特許請求の範囲】
【請求項１】
単語を受信して単語に関する情報を検索する検索装置と通信可能な情報処理装置であって、
文書データに含まれる単語を認識する単語認識手段と、
前記文書データに基づいて、前記単語認識手段により認識された単語を前記検索装置へ送信するためのリンク情報を含む文書データを生成する生成手段とを有することを特徴とする情報処理装置。
【請求項２】
前記リンク情報は、前記単語に関する情報にリンクするためのＵＲＬであることを特徴とする請求項１に記載の情報処理装置。
【請求項３】
前記生成手段により生成される文書データは、ＨＴＭＬまたはＸＭＬで記述されたハイパーテキスト形式のデータであることを特徴とする請求項１或いは２に記載の情報処理装置。
【請求項４】
単語と当該単語の属性とが登録されている辞書手段を有し、
前記生成手段は、前記単語認識手段により認識された単語が前記辞書手段に登録されている場合には、当該単語の属性に対応するＵＲＬを用いて前記リンク情報を生成することを特徴とする請求項１乃至３のいずれかに記載の情報処理装置。
【請求項５】
原稿の画像を読み取る読取手段と、
前記読取手段によって読み取られた画像に対応する画像データに基づいて文字を認識する文字認識手段とを有し、
前記単語認識手段は、前記文字認識手段により認識された文字を使って、文書データに含まれる単語を認識することを特徴とする請求項１乃至４のいずれかに記載の情報処理装置。
【請求項６】
前記生成手段は、前記読取手段によって読み取られた画像がウェブブラウザによって表示されるような文書データを生成することを特徴とする請求項５に記載の情報処理装置。
【請求項７】
原稿の画像を読み取る読取手段と、
文書データの送信先を指定するための指定手段と、
前記生成手段により生成された文書データを、前記指定手段により指定された送信先に送信するための送信手段とを有することを特徴とする請求項１乃至６のいずれかに記載の情報処理装置。
【請求項８】
単語を受信して単語に関する情報を検索する検索装置と通信可能な情報処理装置における情報処理方法であって、
文書データに含まれる単語を認識する単語認識ステップと、
前記文書データに基づいて、前記単語認識ステップで認識された単語を前記検索装置へ送信するためのリンク情報を含む文書データを生成する生成ステップとを有することを特徴とする情報処理方法。
【請求項９】
請求項８に記載の情報処理方法を情報処理装置のコンピュータに実行させるためのコンピュータプログラム。
【発明の詳細な説明】
【技術分野】
【０００１】
文書データを生成する情報処理装置、文書データを生成する情報処理方法及び文書データを生成するためのコンピュータプログラムに関するものである。
【背景技術】
【０００２】
ユーザは、インターネット上で情報検索サービスを提供するＷｅｂサイトを利用して、任意のキーワードに関する情報を検索することが可能になった（例えば、特許文献１）。辞書や百科事典といった印刷物と比較して、インターネット上のＷｅｂサーバに記憶される情報は頻繁に最新のものに更新されるため、例えばニュースや新語など即時性を持つ情報においてはＷｅｂサーバから得られる情報の方がより詳細かつ的確であることが多い。
【０００３】
さらには、ＰＣ等の情報処理装置を利用した情報検索は、印刷物を利用した情報検索と比べた場合、ある程度自動的に行われるため手間がかからない。よって、検索することによるユーザの負荷が軽減されて操作性が向上し、Ｗｅｂサイトを利用した情報検索を好むユーザも増えてきている。
【０００４】
ユーザは、情報検索サービスを提供するＷｅｂサイトを次のように利用する。例えば、ユーザが紙に印刷された文章や、ＰＣ等の画面に表示された文章を読んでいるときに、意味や読み方等がわからない語句があり、その語句についての情報を知りたい場合を例にする。
【０００５】
まず、ユーザは、ＰＣ等のアプリケーションソフトウェアの一つであるＷｅｂブラウザをＰＣ等の操作を行って起動する。そしてＷｅｂブラウザが情報検索サービスを提供するＷｅｂサイト（以降、「検索サイト」と呼ぶ）に接続するために、ユーザは、マウス等の入力インタフェースを操作して、Ｗｅｂブラウザのアドレス欄にカーソルを合わせ、キーボード等の入力装置を利用して検索サイトのＵＲＬをアドレス欄に入力する。または、ユーザは、あらかじめＷｅｂブラウザのＵＲＬ記憶機能で登録されている検索サイトのＵＲＬの中から、所望のＵＲＬを選択する。
【０００６】
これにより、ＵＲＬで指定された検索サイトは、検索サービスを行うためのハイパーテキスト形式のデータ（以下、ハイパーテキストと呼ぶ）をＷｅｂブラウザに送信し、Ｗｅｂブラウザはそれを解釈して、情報検索を行うためのユーザインタフェースとなる画面（以降、「検索画面」と呼ぶ）を表示する。
【０００７】
次に、ユーザは、マウス等の入力インタフェースを操作して、検索画面内の検索キーワード入力欄にカーソルを合わせて、キーボード等の入力装置を利用して前述の情報検索したい語句を検索ケーワード入力欄に入力する。そして、ユーザは、マウス等の入力インタフェースを操作して、検索開始ボタンにカーソルを合わせ、検索開始ボタンを押す操作を行う。検索開始ボタンが押されると、Ｗｅｂブラウザは検索キーワード入力欄に入力されたキーワードを検索サイトに送信して検索サイトに対して情報検索を要求し、検索サイトからの検索結果情報が受信されるまで待機する。
【０００８】
検索サイトは、キーワードと情報検索の要求を受信すると、情報データベースにアクセスしてキーワードに関して検索を行い、得られた情報を利用して検索結果を表示するためのハイパーテキストを生成する。そして、検索サイトは、そのハイパーテキストをＷｅｂブラウザに対して送信する。
【０００９】
Ｗｅｂブラウザは、このハイパーテキストを解釈して、検索結果を表す画面（以降、「検索結果画面」と呼ぶ）を表示する。ユーザはこの検索結果画面から直接、キーワードすなわち前述の情報検索したかった語句に関する情報を入手する。または、ユーザは、この検索結果画面に用意された他のＵＲＬへのリンクを選択操作することにより表示される別の画面から、キーワードすなわち前述の情報検索したかった語句に関する情報を入手する。
【特許文献１】特開２００２−２０２９９１号公報
【発明の開示】
【発明が解決しようとする課題】
【００１０】
しかしながら検索サイトを利用した情報検索は、印刷物を自分で検索するのに比較して情報検索に手間がかからない。このことがユーザのメリットとなってはいるが、上述の通り、ユーザが情報検索をしたいと思ってから多くの手順を介さなければ検索結果を得るまでに到らない。
【００１１】
そのために、前述の例では、ユーザは、文章を読んでいる作業を止めて、情報検索を行う手順を考えなければならず、情報検索のためにユーザはそれまでの思考を停止することになる。さらに、前述の例では、ユーザが情報検索のキーワードとなる語句をキーボード等を使って入力する必要があり、キーボード等を操作する手間はかかる。
【００１２】
特に、情報検索しようと思う語句は、知らない言い回しであったり、読み方のわからない文字であったりすることも多いため、入力ミス等による非効率が発生する可能性がある。例えば漢字を例にすると、漢字の読み方を知らないと、漢字をキーワードとして入力すること自体がそもそも難しくなり、目的の語句を入力するだけでも非常に多くの手間がかかる。場合によっては、ユーザは、この情報検索の手間を嫌って、本来は情報検索したいと思うような語句についても検索を行わないで済ます場合が発生してしまう。
【００１３】
そこで、本発明は、情報検索がより簡単に行える文書データを作成可能にすることにより、情報検索に伴うユーザの手間を軽減することを目的とする。
【課題を解決するための手段】
【００１４】
本発明に係わる情報処理装置は、単語を受信して単語に関する情報を検索する検索装置と通信可能な情報処理装置であって、文書データに含まれる単語を認識する単語認識手段と、前記文書データに基づいて、前記単語認識手段により認識された単語を前記検索装置へ送信するためのリンク情報を含む文書データを生成する生成手段とを有することを特徴とする。
【００１５】
または、前記リンク情報が、前記単語に関する情報にリンクするためのＵＲＬであることを特徴とする。
【００１６】
または、前記生成手段により生成される文書データは、ＨＴＭＬまたはＸＭＬで記述されたハイパーテキスト形式のデータであることを特徴とする。
【００１７】
または、単語と当該単語の属性とが登録されている辞書手段を有し、前記生成手段は、前記単語認識手段により認識された単語が前記辞書手段に登録されている場合には、当該単語の属性に対応するＵＲＬを用いて前記リンク情報を生成することを特徴とする。
【００１８】
または、原稿の画像を読み取る読取手段と、前記読取手段によって読み取られた画像に対応する画像データに基づいて文字を認識する文字認識手段とを有し、前記単語認識手段は、前記文字認識手段により認識された文字を使って、文書データに含まれる単語を認識することを特徴とする。
【００１９】
または、前記生成手段は、前記読取手段によって読み取られた画像がウェブブラウザによって表示されるような文書データを生成することを特徴とする。
【００２０】
または、原稿の画像を読み取る読取手段と、文書データの送信先を指定するための指定手段と、前記生成手段により生成された文書データを、前記指定手段により指定された送信先に送信するための送信手段とを有することを特徴とする。
【発明の効果】
【００２１】
文書データに基づいて、認識された単語を検索装置へ送信するためのリンク情報を含む文書データを生成することにより、ユーザが文書データ中の単語について情報検索をしたい場合に、検索結果を得るまでの手順をより少なくし、簡単に情報を検索することが可能になる。
【００２２】
または、生成される文書データは、ＨＴＭＬまたはＸＭＬで記述されたハイパーテキスト形式のデータであることにより、ユーザは、Ｗｅｂブラウザ等の汎用的なブラウザソフトウェアを利用して、文書データを閲覧することができる。
【００２３】
または、単語の属性に対応するＵＲＬを用いてリンク情報を生成することにより、単語の種類によって情報検索先が異なるようにすることができる。
【００２４】
または、読取手段によって読み取られた画像に対応する画像データに基づいて文字を認識し、認識された文字を使って、文書データに含まれる単語を認識することにより、紙等の媒体に記載された文書に含まれる単語についても、情報検索をより簡単にすることができる。
【００２５】
または、読取手段によって読み取られた画像がウェブブラウザによって表示されるような文書データを生成することにより、情報検索はより簡単になる一方で、ユーザからの見た目は原稿の見た目から崩されず、文書の視認性と情報検索の容易性を両立することができる。
【発明を実施するための最良の形態】
【００２６】
以下、本発明に係わる情報処理装置の一実施の形態を図面に基づき説明する。
【実施例】
【００２７】
図１は本実施の形態に係る情報処理装置の構成を示すブロック図である。図１において、１は情報処理装置で、２はネットワークで、１０１は原稿フィーダで、１０２は操作部で、１０３はスキャナで、１０４はメモリで、１０５は文字認識部で、１０６は単語認識部で、１０７は単語辞書で、１０８はハイパーテキスト変換部で、１０９は電子メール送信部で、１１０はネットワークインタフェース部で、１１１はＣＰＵである。
【００２８】
情報処理装置１はメモリ１０４にあらかじめ保存されているプログラムに基づくＣＰＵ１１１の制御により動作するもので、その制御と各処理部間のデータの受け渡しは内部バス１１２を使って行われるものである。
【００２９】
原稿フィーダ１０１は、画像読み取りのために、紙原稿をスキャナ１０３に対して給紙することのできる装置である。
【００３０】
操作部１０２はユーザが情報処理装置１に対して処理動作の指示を与える操作部である。
【００３１】
スキャナ１０３は原稿フィーダ１０１によって給紙された紙原稿の読み取りを行って画像データを生成する処理部である。
【００３２】
メモリ１０４はＣＰＵ１１１の動作に利用するプログラムおよび各処理部が生成・利用する各種データを記憶しておくデータ記憶部である。
【００３３】
文字認識部１０５はメモリ１０４に記憶されている画像データに含まれる文字情報をＯＣＲ技術により認識する処理部である。文字認識部１０５は、認識された文字を文字コードの形式で、その文字の画像データ中での位置を表す座標情報を数値形式でメモリ１０４に出力する。ここで座標情報は、その文字を内包する最小の矩形の左上と右下の座標を含むものである。
【００３４】
単語認識部１０６はメモリ１０４に記憶されている文字コード形式の文字データを形態素解析技術により単語に分割する処理部である。単語認識部１０６は、認識された単語に関する単語情報を文字コードの形式で、その単語の画像データ中での位置を表す座標情報を数値形式で、その単語の属性情報を属性コードの形式でメモリ１０４に出力する。ここで座標情報は、その単語を内包する最小の矩形の左上と右下の座標を含むものである。また、単語認識部１０６は、認識された各単語を単語辞書１０７に登録されている単語と比較して、一致したものがあれば単語辞書１０７に登録されている単語に付加されている属性を属性情報として登録し、一致したものがなければ登録がない場合の属性を属性情報として登録する。
【００３５】
単語辞書１０７は単語と属性を記憶している記憶部である。単語辞書１０７には、副詞や助詞といった基本的な単語、および、特別な情報検索サイトを利用したい専門用語等の単語が記憶されている。ここで、副詞や助詞といった基本的な単語には情報検索の必要なしという属性が、専門用語等の単語には情報検索が必要という属性と利用する検索サイトのＵＲＬ情報が、また単語辞書１０７に含まれていない単語については情報検索が必要という属性と利用する検索サイトのＵＲＬ情報が、それぞれ記憶されている。
【００３６】
ハイパーテキスト変換部１０８はメモリ１０４に記憶されている画像データおよび単語情報を利用してハイパーリンクを含むハイパーテキストを生成する処理部である。ハイパーテキスト変換部１０８は、ＨＴＭＬ形式のハイパーテキストを生成してメモリ１０４に出力する。ハイパーテキスト変換部１０８は、情報検索が必要という属性を有する単語については、検索サイトを示すＵＲＬ情報と単語情報とを結合することによりハイパーリンクを生成する。
【００３７】
電子メール送信部１０９はメモリ１０４に記憶されているＨＴＭＬ形式のハイパーテキストを電子メールで送信可能なマルチパートＭＩＭＥ形式で符号化して、指定された電子メールアドレス宛にネットワークインタフェース部１１０を介して電子メールを送信する処理部である。
【００３８】
ネットワークインタフェース部１１０は電子メール送信部１０９から送信される電子メールを図示しないメールサーバに対して送信するためのインタフェース部である。
【００３９】
ＣＰＵ１１１はメモリ１０４に記憶されているプログラムに基づいて情報処理装置１を制御する制御部である。
【００４０】
図２は本実施の形態に係る情報処理装置のネットワーク接続構成を示す模式図である。情報処理装置１およびパーソナルコンピュータ３はネットワーク２を介して接続されている。また図示しないメールサーバがネットワーク２に接続されており、情報処理装置１が送信する電子メールをパーソナルコンピュータ３に配信することができる。さらに図示しないインターネットがネットワーク２と接続されており、パーソナルコンピュータ３では、ユーザがＷｅｂブラウズ等を用いてインターネットを経由した各種ネットワークサービスを利用可能である。
【００４１】
図３は本実施の形態に係る情報処理装置の操作部の模式図である。ユーザは操作部を使い自分のメールアドレスを指定して画像読み取り送信ボタンを操作することによって情報処理装置１は画像読み取り処理および電子メール送信処理を開始する。
【００４２】
図４は紙の文章原稿の一例である。
【００４３】
図５は本実施の形態に係る情報処理装置の文字認識部１０５により認識してメモリ１０４に出力された文字情報および座標情報の一例を示す模式図である。列５０１には文字情報が格納され、列５０２及び５０３には座標情報が格納されている。
【００４４】
図６は本実施の形態に係る情報処理装置の単語認識部１０６により認識してメモリ１０４に出力された単語情報、座標情報および属性情報の一例を示す模式図である。列６０１には単語情報が格納され、列６０２及び６０３には座標情報が格納され、列６０４には属性情報が格納されている。
【００４５】
図７は本実施の形態に係る情報処理装置の単語辞書１０７の一例を示す模式図である。列７０１には単語が登録されており、列７０２には属性が登録されている。
【００４６】
図８は本実施の形態に係る情報処理装置のハイパーテキスト変換部１０８により生成されてメモリ１０４に出力されたＨＴＭＬ形式のハイパーテキストの一例を示す模式図である。
【００４７】
図９は、図８で示したＨＴＭＬ形式のハイパーテキストがＷｅｂブラウザに表示させたときに、ハイパーリンクの部分が網掛け模様で示されていることを示す概念図である。Ｗｅｂブラウザは、この網掛け部分がクリックされると、網掛け部分に対応するＵＲＬ情報が示す検索サイトに対して、網掛け部分に対応する単語情報を送信する。すると、検索サイトは、受信した単語情報に基づいて情報検索を行い、検索結果を表示するためのハイパーテキストを生成して、それをＷｅｂブラウザに返信する。
【００４８】
この網掛け模様自体はは実際にはＷｅｂブラウザでは表示されないため、ＷｅｂブラウザでユーザがＨＴＭＬ形式のハイパーテキストで文書を閲覧するときの見栄えは紙の文書とは変わらない。
【００４９】
図１０は本実施の形態に係る情報処理装置１から送信された電子メールをパーソナルコンピュータ３によって受信したときのパーソナルコンピュータ３の表示画面を示す模式図である。
【００５０】
図１１は本実施の形態に係る情報処理装置１から送信された電子メールの添付ファイルであるＨＴＭＬ形式のハイパーテキストをＷｅｂブラウザを使って表示させたパーソナルコンピュータ３の表示画面を示す模式図である。
【００５１】
図１２は本実施の形態に係る情報処理装置１から送信された電子メールの添付ファイルであるＨＴＭＬ形式のハイパーテキストをＷｅｂブラウザを使ってユーザが文書を閲覧中に、ユーザが情報検索したい語句をクリックして情報検索を行ったときのパーソナルコンピュータ３の表示画面を示す模式図である。
【００５２】
以上の構成において、本発明に係わる情報処理装置の動作について以下に説明する。図１３は、本発明に係わる情報処理装置の動作を示すフローチャートである。
【００５３】
まず、紙原稿に記載されている文章を画像データとしてメモリ１０４に読み込む（ステップＳ１３０１）。その手続きを以下に説明する。ユーザは情報処理装置１の原稿フィーダ１０１に文章が記録された紙原稿（図４）を入れる。そしてユーザによる操作部１０２（図３）の操作によって、情報処理装置１は原稿フィーダ１０１から原稿をスキャナ１０３上に給紙し、原稿に記録された文章を画像データとして読み取る。画像データはメモリ１０４に格納される。
【００５４】
次に、画像データを解釈して文章に含まれる単語に関する情報を生成しメモリ１０４に記憶する。その手続きを以下に説明する。メモリ１０４に格納された画像データは、文字認識部１０５に送信されて文字情報が生成されメモリ１０４に記憶される（ステップＳ１３０２、図５）。さらに文字情報は単語認識部１０６に送信されて単語情報が生成されてメモリ１０４に記憶される（ステップＳ１３０３、図６）。このとき、各文字には画像データ上での座標情報が付加されて記憶され、また各単語は一つずつ、単語辞書１０７（図７）に登録されている単語と比較され、一致するものがあればその単語に対応する属性を単語辞書から読み出してメモリ１０４に記憶されているその単語に属性情報として付加する（図６）。文字認識処理および単語認識処理に関しては既存の技術を使用するため、ここでの詳細な説明は割愛する。
【００５５】
次に、メモリ１０４に記憶された各情報を利用してＨＴＭＬ形式のハイパーテキストを生成する（ステップＳ１３０４）。その手続きを以下に説明する。ハイパーテキスト変換部１０８はメモリ１０４に記憶された画像データに対してＨＴＭＬ形式に適合するようにヘッダ情報等の必要な情報を付加して、ＨＴＭＬ形式のハイパーテキストに対応した汎用のＷｅｂブラウザ等で画像データを閲覧できるような形式に変換する。さらに、ハイパーテキスト変換部１０８は、ＨＴＭＬ形式における＜ｍａｐ＞タグを利用したハイパーリンクを生成し前記ＨＴＭＬ形式のハイパーテキスト中に挿入する（図８）。この＜ｍａｐ＞タグを利用したハイパーリンクは、画像データの座標によってリンク先を変更することのできるクリッカブルマップと呼ばれる仕組みである。このとき、ハイパーリンクの生成はメモリ１０４に記憶してある単語情報すべてについて処理を行い、単語情報の持つ属性によってリンク先を決定したりハイパーリンクの生成を行わなかったりする。生成されたＨＴＭＬ形式のハイパーテキストによるハイパーリンクが付加された画像データはメモリ１０４に記憶される。
【００５６】
次に、メモリ１０４に記憶されたＨＴＭＬ形式のハイパーテキストを電子メールで送信する（ステップＳ１３０５）。その手続きを以下に説明する。電子メール送信部１０９は、メモリ１０４に記憶されているＨＴＭＬ形式のハイパーテキストを電子メールの添付ファイルに適合する形式に符号化してネットワークインタフェース部１１０を介してネットワーク２に送信する。ここで、電子メールの送信先メールアドレスは操作部１０２の操作によりユーザが任意に設定できるものである。添付ファイル形式への符号化処理および電子メール送信処理に関しては既存の技術を使用するため、ここでの詳細な説明は割愛する。
【００５７】
次に、ユーザはパーソナルコンピュータ３を使って電子メールを受信し（図１０）、添付ファイルのＨＴＭＬ形式ハイパーテキストを汎用のＷｅｂブラウザを利用して閲覧する（図１１）。その手続きは、既存の技術を使用するため、ここでの詳細な説明は割愛する。
【００５８】
次に、ユーザはＷｅｂブラウザでＨＴＭＬ形式ハイパーテキストによるハイパーリンクが付加された画像データを閲覧しながら、文章中に含まれる語句の情報検索を行う。その手続きを以下に説明する。
【００５９】
ハイパーテキストによる画像データは、前述の通り情報処理装置１によってＨＴＭＬ形式に変換されてその内部データとしてハイパーリンクが挿入されたものであるが、読み取った画像データが表示されるように変換されているためＷｅｂブラウザでの表示文書は元の紙の文書原稿の見た目そのままであり、ユーザは元の紙の文書を閲覧するときと同じ感覚でＷｅｂブラウザ上で文書を閲覧することができる（図１１）。
【００６０】
ユーザはＷｅｂブラウザの機能を利用することで、文書の表示を拡大・縮小したり、必要に応じて画面をスクロールさせたりして文書を閲覧できる。そして、不明な語句等の情報検索をしたい単語があったときに、ユーザはその単語部分をマウス等の入力装置を使ってクリック等の選択指示を行うことで、その単語に付加されているハイパーリンクのリンク先の表示をＷｅｂブラウザに指示することが可能である（図１１）。
【００６１】
Ｗｅｂブラウザはハイパーリンクのリンク先を示すＵＲＬで示されるＷｅｂサーバにハイパーリンクに含まれている単語情報を送信して、そのＷｅｂサーバから受信されるデータを表示する。情報処理装置は語句に関する検索結果を直接表示するようなＵＲＬをハイパーリンクとして付加するため、Ｗｅｂブラウザにはユーザが指定した語句に関する情報検索結果の画面が直接表示されることになる。このとき、Ｗｅｂブラウザの機能を利用して、文書を閲覧している表示ウィンドウとは別の表示ウィンドウを情報検索の閲覧用に追加で開くこともでき、文書閲覧作業を中断することなく情報検索ができる（図１２）。
【００６２】
以上のように、本発明の情報処理装置によれば、ユーザが情報検索をしたいと思ってから実際に情報検索を行って検索結果を得るまでに必要な手順を削減して、ユーザの思考を停止させることなく簡単に情報を検索することができる。
【００６３】
なお、本実施例においては、ハイパーテキストはＨＴＭＬ形式であるが、これはＸＭＬやＰＤＦといった別の形式にすることも可能である。また、文字データは紙原稿の画像データを読み取った画像データを文字認識することで得ているが、パーソナルコンピュータ等からネットワーク経由で直接文字データを受信することも可能である。
【図面の簡単な説明】
【００６４】
【図１】情報処理装置の構成を示すブロック図である。
【図２】ネットワーク接続構成を示す模式図である。
【図３】操作部の模式図である。
【図４】紙の文章原稿の一例である。
【図５】文字情報および座標情報の一例を示す模式図である。
【図６】単語情報、座標情報および属性情報の一例を示す模式図である。
【図７】単語辞書１０７の一例を示す模式図である。
【図８】ＨＴＭＬ形式のハイパーテキストの一例を示す模式図である。
【図９】図８で示したＨＴＭＬ形式のハイパーテキストをＷｅｂブラウザで表示させたときの概念図である。
【図１０】パーソナルコンピュータ３の表示画面を示す模式図である。
【図１１】パーソナルコンピュータ３の表示画面を示す模式図である。
【図１２】パーソナルコンピュータ３の表示画面を示す模式図である。
【図１３】情報処理装置の動作を示すフローチャートである。
【符号の説明】
【００６５】
１  情報処理装置
２  ネットワーク
３  パーソナルコンピュータ
１０１  原稿フィーダ
１０２  操作部
１０３  スキャナ
１０４  メモリ
１０５  文字認識部
１０６  単語認識部
１０７  単語辞書
１０８  ハイパーテキスト変換部
１０９  電子メール送信部
１１０  ネットワークインタフェース部
１１１  ＣＰＵ
１１２  内部バス
【図１】
2006178621.tif 000003
【図２】
2006178621.tif 000004
【図３】
2006178621.tif 000005
【図４】
2006178621.tif 000006
【図５】
2006178621.tif 000007
【図６】
2006178621.tif 000008
【図７】
2006178621.tif 000009
【図８】
2006178621.tif 000010
【図９】
2006178621.tif 000011
【図１０】
2006178621.tif 000012
【図１１】
2006178621.tif 000013
【図１２】
2006178621.tif 000014
【図１３】
2006178621.tif 000015